(57)【特許請求の範囲】
【請求項１】
底からウェアまでの壁面を傾斜案内壁部とした流水部の下流側端部となる前記ウェアと連続し、且つ当該ウェアを乗越える流水の流水方向と対向する排水管接続部を連設し、側部に他の設備からの排水孔を1個以上設け、少なくとも1個の排水孔を排水管接続部の軸芯に沿って正対させたトラップ本体と、そのトラップ本体の流水部内に挿入して封水空間を確保する封水筒とを備え、該封水筒の上端を排水口とすると共に前記傾斜案内壁部とその傾斜案内壁部が臨む封水筒の壁面部との間を排水を排水管接続部へ案内する流出空間部とし、且つ封水筒の下端開放部を流出空間部への通水部とした排水トラップにおいて、
前記封水筒における流出空間部側の壁面部と正対する壁面部を、排水口の近傍から下端まで流出空間側に向かって湾曲状に傾斜する下向傾斜面で形成し、且つ前記流出空間部側の壁面部の全面又は下端全域を含む一部を、垂直面若しくは延長した際傾斜案内壁部に交差する方向に向かう傾斜面にし、前記流水部において排水管接続部と正対する壁面部を上端から同流水部の底を経て前記傾斜案内壁部の基部まで前記下向き湾曲面よりも緩傾斜とする湾曲傾斜面で形成していることを特徴とする排水トラップ。
【請求項２】
上記封水筒における下向傾斜面が横断面視で外側に膨らむ湾曲状とされ、この下向傾斜面の延長線が、流水部の底と接するようになっていることを特徴とする請求項１に記載の排水トラップ。
【請求項３】
上記通水部が、前記下向傾斜面の下端を最低部、流出空間部側の壁面部の下端を最高部とする正面視上向き傾斜状にしてあることを特徴とする請求項１、又は、請求項２に記載の排水トラップ。
【請求項４】
上記排水孔と正対する封水筒の壁面部に封水筒の下端まで至る案内溝を凹設していることを特徴とする請求項１乃至請求項３いずれか１項に記載の排水トラップ。
【請求項５】
上記封水筒は弾性を有する素材でなることを特徴とする請求項1乃至請求項４いずれか１項に記載の排水トラップ。
【請求項６】
上記排水孔の全部、若しくは、少なくとも浴槽用の排水孔がウェアよりも下側に配設されていることを特徴とする請求項１乃至請求項５いずれか１項に記載の排水トラップ。
【請求項７】
上記排水孔の位置がトラップ本体の下端部であることを特徴とする請求項６に記載の排水トラップ。
【請求項８】
上記排水トラップが、排水孔を備えていない、若しくは、排水孔の全部をウェアよりも下側に配設しているものであり、トラップ本体を排水口の直下に配設し、前記排水口から臨むトラップ本体の開口部から上記封水筒をトラップ本体内に挿入すると共に、排水口縁に着脱可能に吊持して封水空間を確保してなることを特徴とする請求項１乃至請求項７いずれか１項に記載の排水トラップ。
【発明の詳細な説明】
【０００１】
【発明の属する技術分野】
本発明は、容体における排水部からの排水の臭気の逆流を防止する排水トラップに関する。
【０００２】
【従来の技術】
従来から、容体における排水部からの臭気の逆流を防止する排水トラップは今日様々な形態のものが存在しているが、その中でも大量の排水をしなければならない容体には排水速度が速く排水性に優れたランニングトラップが採用されている。
このランニングトラップは一般的には鋳物製のものであり、金属製であるため相当の重量があって強固な取付が必要で、錆などの腐食が発生しやすいという不具合を有している。（図14参照）
また、鋳物製のものは成型は容易でありこの点については低コストではあるが、一方では材料費が高いために大幅なコストの低減は望めない。
このような不具合を解決するために図15に示すように封水筒を流水部に設けた逆椀タイプ排水トラップが開発されている。
この排水トラップは、流水部101における排水管接続部102側の壁面部をウェア104まで傾斜させた傾斜案内壁部103にすると共に、同流水部101の他の壁面部の上端近傍に排水孔105、106を開孔してトラップ本体100を形成し、そのトラップ本体100に、傾斜案内壁部103側の壁面部201をその傾斜案内壁部103の傾斜に沿うように傾斜させた封水筒200を挿入して、傾斜案内壁部103と壁面部201の間を流出空間部300とした構成になっている。
この排水トラップは、流水部101が逆椀を兼ねることから、逆椀タイプでありながら、上記傾斜した流出空間部300による案内作用で封水筒200から流水部
101へ流れ込む排水を排水管接続部102方向に流れやすくして排水速度を高め、ひいては排水効率を向上させようとしている。
また、合成樹脂製を用いることで、軽量化及び材料費の低減を図っている。
【０００３】
【発明が解決しようとする課題】
ところで、上記した排水トラップでは、封水筒200の壁面部201は排水孔105側（図面上右上がり）に傾斜していることから、傾斜壁部201上の排水は流出空間部300とは逆方向に流れるようになる。
そのため、封水筒200において傾斜壁部201に沿って流下する排水とそれ以外の壁面部に沿って流下する排水とが互いに干渉し合う原因を作り出す。
これでは排水速度が低速化し、排水した量だけ封水がウェア104を乗り越すように押し出される旧来と逆椀タイプの排水トラップと同様の排水方式になってしまい現実問題として排水効率の向上という点では好ましい結果を期待できないのが現状である。
また、排水孔105,106からの排水が、封水筒200の壁面部に当たりその反動で排水同士の干渉を招いて排水効率を悪くし、他面では流水部101の底に汚れが溜まる要因を作り出している。
上記した排水効率を向上させるためには排水トラップの排水量を増やすということが考えられるが、排水量を増やすということは、すなわち排水トラップの大型化を招き、更には、大型化によって材料の使用量が増大してしまうため材料費の低減ができない。
【０００４】
本発明は、上記した従来事情に鑑みてなされたものでその目的とするところは、コンパクトでありながら優れた排水効率を有し、しかもコストの大幅な削減を可能とした逆椀タイプの排水トラップを提供することにある。
【０００５】
【課題を解決するための手段】
上記した目的を達成するために本発明が講じた技術的手段は、底からウェアまでの壁面を傾斜案内壁部とした流水部の下流側端部となる前記ウェアと連続し、且つ当該ウェアを乗越える流水の流水方向と対向する排水管接続部を連設し、側部に他の設備からの排水孔が１個以上備えられ、少なくとも一個の排水孔は排水管接続部に正対すると共に、その軸線に沿っているトラップ本体と、そのトラップ本体の流水部内に挿入して封水空間を確保する封水筒とを備え、該封水筒の上端を排水口とすると共に前記傾斜案内壁部とその傾斜案内壁部が臨む封水筒の壁面部との間を排水を排水管接続部へ案内する流出空間部とし、且つ封水筒の下端開放部を流出空間部への通水部とした排水トラップにおいて、前記封水筒における流出空間部側の壁面部と正対する壁面部を、排水口の近傍から下端まで流出空間側に向かって湾曲状に傾斜する下向傾斜面で形成し、且つ前記流出空間部側の壁面部の全面又は下端全域を含む一部を、垂直面若しくは延長した際傾斜案内壁部に交差する方向に向かう傾斜面にし、前記流水部において排水管接続部と正対する壁面部を上端から同流水部の底を経て前記傾斜案内壁部の基部まで前記下向き湾曲面よりも緩傾斜とする湾曲傾斜面で形成していることを特徴とする排水トラップにした。（請求項１）
上記封水筒における下向傾斜面を横断面視で外側に膨らむ湾曲状にし、この下向傾斜面の延長線を、流水部の底と接するようにした。（請求項２）
上記通水部を、前記下向傾斜面の下端を最低部、流出空間部側の壁面部の下端を最高部とする正面視上向き傾斜状にした。（請求項３）
上記排水孔と正対する封水筒の壁面部に封水筒の下端まで至る案内溝を凹設した。（請求項４）
上記封水筒を可撓性を有する素材で構成した。（請求項５）
上記請求項５における弾性を有する素材は、例えばゴム材、軟質樹脂材などが挙げられる。
上記排水孔の全部、若しくは、少なくとも浴槽用の排水孔をウェアよりも下側に配設した。（請求項６）
上記請求項６における排水孔の位置をトラップ本体の下端部にした。（請求項７）
上記排水トラップが、排水孔を備えていない、若しくは、排水孔の全部をウェアよりも下側に配設しているものであり、トラップ本体を排水口の直下に配設し、前記排水口から臨むトラップ本体の開口部から上記封水筒をトラップ本体内に挿入すると共に、排水口縁に着脱可能に吊持して封水空間を確保して構成した。（請求項８）
【０００６】
上記した技術的手段によれば、本排水トラップは、排水を流水空間部側に向かって傾斜する下向傾斜面と、垂直面若しくは延長した際流水空間部の傾斜案内壁部に交差する方向に向かう流出空間部側の傾斜面と、残りの２面とで案内する。残りの２面は垂直面でも外側の膨出する湾曲面でも構わない。
下向傾斜面に沿う排水の流れは流水空間部側に流速を速める主排水勢力を生み出す。一方、流水空間部側の壁面部は垂直面若しくは延長した際流水空間部の傾斜案内壁部に交差する方向に向かう傾斜面にしているため、その主排水勢力に対して干渉が少ない。ことに延長した際流水空間部の傾斜案内壁部に交差する方向に向かう傾斜面にしている場合にはその主排水勢力に加勢する排水勢力を生み出し、封水筒を逆椀を兼ねる流水部に設けた排水トラップでありながら、ランニングトラップと同様な作用を得ることが可能となる。
また、トラップ本体の側部に他の設備からの排水の排水孔が備えられた排水トラップでは、排水孔からの主排水のみならず、排水孔からの副排水が傾斜面によって、反動による排水の戻りが防止される上に、その排水勢力の減衰が軽減されるから排水を流出空間部の入り口へとスムーズに案内する。
また、排水トラップは、他の設備からの排水（副排水）が、排水管接続部と正対する壁面部の湾曲傾斜面に沿って流水案内部に案内される。（請求項１）
本排水トラップは、下向傾斜面の外側に膨らむ湾曲性で封水筒の容積を拡大すると共に、その延長線を流水部の底、即ち傾斜案内壁部の始端と接するようにしていることから、多量の排水を流水空間部に速やかに案内するガイド作用を生み出す。（請求項２）
本排水トラップは、請求項２に加えて封水筒下端の通水部を傾斜案内壁部に臨む向きにして、管路抵抗等で流速が低下することなく排水を流水空間部直接に排出する優れた封水筒の出口構造を構成する。（請求項３）
本排水トラップは、他の設備からの排水が案内溝内に入り込み、流出空間部の入り口へと案内されるから、封水筒に周方向に沿って回り込む排水が減少する結果、流水部の底への排水量が増える。（請求項４）
本排水トラップは、排水口からの排水（主排水）、他の設備からの排水（副排水）の封水筒に当たった際の反力が、封水筒の弾性による変形で吸収される。（請求項５）
本排水トラップは、全部の排水孔をウエア（封水面）よりも下側にした場合、排水管接続部に接続された配管からの臭気の他の設備への逆流が阻止される。
また、排水孔の全部、少なくとも、浴槽用の排水孔が従来の排水孔よりも下側であるので、この排水孔に接続される浴槽を含む他の設備からの排水管の位置を下げることができる。（請求項６）
上記排水孔の位置をトラップ本体の下端部にした場合、排水孔からの排水のほとんどが直接流水部に流入する。（請求項７）
本排水トラップは、排水孔の直下に固定されたトラップ本体に対して着脱可能にされる。（請求項８）
【０００７】
【発明の効果】
本発明は上記した構成により下記の利点を有する。
（請求項１）封水筒における流出空間部側の壁面部と正対する壁面部を構成する下向傾斜面の沿う排水の流れは流水空間部側に流速を速める主排水勢力を生み出し、流出空間側の壁面部の全面又は下端全域を含む一部を、垂直面若しくは延長した際傾斜案内壁部に交差する方向に向かう傾斜面に沿う排水の流れはその主排水勢力に対して影響を少なくする。ことに傾斜面にしている場合にはその主排水勢力に加勢する排水勢力を生み出す。
そのため、封水筒を逆椀を兼ねる流水部に設けた排水トラップでありながら、ランニングトラップと同様に排水流速を利用した優れた排水効率を得ることができる。
しかも、排水流速を利用した排水では混入する汚れを停滞を招かずに排出する優れた排出性を備えるばかりでなく、封水筒を逆椀を兼ねる流水部に設けた排水トラップでありながら、優れた排水効率であるためにコンパクト化が可能であり、今日のバリアフリー等の関係で床下高さが小さな場合のニーズに応じる上でも非常に有効な排水トラップである。
そして、コンパクト化が可能であるということは、材料の使用量の削減につながるから、材料費のコストを低く抑えることができるため、従来に比べて非常に安価な排水トラップである。
また、トラップ本体の側部に他の設備からの排水孔が備えられた排水トラップにおいては、傾斜面で反力を招かずに案内する仕組みであり、その反力で他の設備からの排水性が損なわれることもなく、容体の排水口からの主排水のみならず他の設備からの副排水ともに優れた排水性を達成する排水トラップを提供することができる。
しかも、排水管接続部と正対する壁面部を下向傾斜面よりも緩傾斜とする流水部の底まで至る傾斜面で構成してあると、下向傾斜面背後の壁面部を前記主排水のみならず排水（副排水）までもが流水案内部に案内することが可能となり、容体からの排水のみならず他の設備からの排水もより効率化することができる。
（請求項２）しかも、下向傾斜面の外側に膨らむ湾曲性で容積を拡大した封水筒の多量な排水を流水空間部に直接案内するように配慮していることから、排水効率の更なる効率化を図ることができる。
（請求項３）その上、封水筒下端の通水部を傾斜案内壁部に臨む向きにして、排水を流水案内部に集中するようにしている結果、管路抵抗になる圧力損失を招かず、排水効率の更なる高効率化が期待できる。
（請求項４）また、トラップ本体の側部に他の設備からの排水孔が備えられた排水トラップにおいては、封水筒に設けた案内溝に排水孔からの排水が入り込んで流水部の底へと案内されるようにしているから、封水筒の周方向に沿って回り込む排水が減少する結果、流水筒の底への排水量が増えることになり、したがって、下向き傾斜面側の排水孔からの排水の排水性をより効率のよいものにできると共に、その他２面側に面する排水孔からの排水が封水を底から汚れを流しながら押し上げるように排水させるため、流水部における汚れの溜まりを減少させることができる。
（請求項５）更に、封水筒を弾性を有する素材で構成してあると、主排水及び副排水の排水勢力によって封水筒が変形して排水の反力を吸収するので、排水の反力を減少させる点において非常に有効であるため、主排水及び副排水の排水効率をより効率化することができる。
（請求項６）また、排水孔の全部がウエア（封水面）よりも下側に配設してあると、臭気防止壁を形成することなく排水管接続部に接続された配管からの臭気の他の設備への逆流を阻止できる。その上、この排水トラップを例えば洗い場付き浴槽における洗い場に配設した場合、該浴槽の底を排水管の高さに伴って下げ、その下げた量に相対して浴槽壁の高さを下げることで、浴槽の深さを一定に保ちながら洗い場から浴槽への跨ぎ高さを低くすることができるので、身体障害者や高齢者などの行動に難を有する使用者が浴槽へ入るときに浴槽壁を跨ぎやすいし、しかも、浴槽の深さは一定であるので、上記したバリアフリーに対応しながら使用性をも損ねることがない。また、浴槽の深さを一定に保ちながら浴槽壁の高さを低くするには、少なくとも浴槽用の排水孔がウエア（封水面）よりも下側であればよい。
（請求項７）さらに、上記排水孔をトラップ本体の下端部に配設してあると、上記請求項６の効果に加えて、排水孔からの排水のほとんどが封水筒の影響を受けることなく直接流水部に流入するので、その排水勢力をほとんど減少させることないから、流水部における汚れの溜まりの減少及び副排水の排水効率のさらなる向上という点で大きな効果を奏する。
（請求項８）加えて、上記封水筒がトラップ本体に対して着脱可能であれば、封水筒を取外すことでトラップ本体内が露出するので、そのトラップ本体内の清掃が非常に容易、且つ、確実にできるし、取外した封水筒の清掃も容易である。
【０００８】
【発明の実施の形態】
以下、本発明の実施の形態を図面に基づいて説明する。
図１（ａ），（ｂ）は本発明における排水トラップ１の実施の形態の１例を示している。
排水トラップ１は合成樹脂製として、底とウェア23との壁面を傾斜案内壁部25とした流水部21に排水管接続部22を連設し、側部に３個の排水孔24…24を形成したトラップ本体２と、該トラップ本体２における流水部21内に挿入して封水空間Ａを確保し、ウェア23と正対する壁面部31と前記傾斜案内壁部25とで流出空間部Ｂを確保する封水筒３とで構成されている。
また、符号Ｃは、流出空間部Ｂにおける封水筒３の垂直面31の上端と排水トラップ１の上面とのコーナー部に形成されたエアーポケットであり、詳しくは、ウェア23を上端とする封水面Ｄと流水空間部Ｂ内を流れる排水の封水筒３側が交わる点D1の内側に形成されている。
このエアーポケットＣは排水時のサイホン作用を減少して排水音や封水の保持をするためのものであり、後述する図２乃至図11の排水トラップ１に全て形成されている。
また、符号７は排水トラップ１を容体（図示せず）に取り付けるためのネジ部であり、後述する図２乃至図11の排水トラップ１に全て形成されている。
尚、排水トラップ１の形成方法は今日周知の方法であるため詳述はしないが、上部を開放して成型されたトラップ本体２と、封水筒３と一体成型され、トラップ本体２における開放部の平面形状に沿うと共に、前記封水筒３と連通する排水口４を有した蓋部５とを、封水筒３を流水部21に挿入した状態で溶着や接着などで一体化して形成される。
また、符号８は排水管接続部22に接続される配管（図示せず）からの臭気を排水孔24から他の設備へ逆流させないようにした臭気防止壁である。
【０００９】
トラップ本体２における流水部21は、排水管接続部22と正対する壁面部26の上端部から流水部21の底を経て傾斜案内壁部25の基部まで湾曲状に傾斜させてある。
また、前記壁面部26の傾斜は、後述する流出空間部Ｂ側の壁面部31に正対する壁面部32の下向き傾斜面321よりも緩傾斜としている。
排水孔24は、３個の内１個を上記排水管接続部22と正対すると共に、その軸線に沿って開孔され、２個を前記排水管接続部22の軸線と直交すると共に、相互に正対して開孔されている。
そして、トラップ本体２の外側に上記３個の排水孔24…24それぞれと連通する接続部241…241が形成されている。
【００１０】
封水筒３は、図１（ｂ）において流出空間部Ｂ側の壁面部31とその壁面部31に正対するの壁面部32の２個所を、前記排水管接続部22の軸線と直交する方向に切欠した断面小判状に形成され、前記壁面部32を、排水口４から下端まで流水空間部Ｂの入り口B1方向に向って前述した下向き傾斜面321にすると共に、その下向き傾斜面321を横断面視外側に膨らんだ円弧面にし、且つ、下端を排水管接続部と直交する方向に直線状にしている。
また、上記下向き傾斜面321の円弧面は、その下端から流出空間部Ｂの入り口 B1に向かう延長線Ｅが、前記入り口B1の底に沿って接するようにされており、壁面部32からの排水を入り口B1に集中させるようになっている。
更に、排水孔24から流水部21に流れる排水は下向き傾斜面321の円弧面によって、排水勢力の衝撃を弱められるから排水の戻りが防止されると共に、その排水勢力の減衰が軽減され、しかも排水を流出空間部Ｂの入り口B1へとスムーズに案内する。
他方、流出空間部Ｂ側の壁面部31が、排水口４から僅かな長さ傾斜面に向う傾斜面とし、その傾斜面の下端から封水筒３の下端まで垂直面としてあり、この壁面部31からの排水は、垂直に流れるので上記した下向き傾斜面321からの排水の排水勢力を阻害することがない。
そして、封水筒３の下端に形成されている通水部６が、下向き傾斜面321の下端を最低部とし、壁面部31の下端を最高点とする上向き傾斜状に形成してあり、通水部６の通水方向が流出空間部Ｂの入り口B1方向へ向くことになるから、通水部６からの排水全体が入り口B1方向へと流れる。
【００１１】
上記構成による排水トラップ１は、下向き傾斜面321から流れる排水が、その排水勢力を阻害されることなく、その排水以外の排水を流出空間部Ｂにおける入り口B1に押し出すように集中させ、通水部６の通水方向が入り口B1に向けられているため、排水効率を向上させることができる上に、排水勢力によって流水部21の底への汚れの溜りを軽減できる。
また、排水孔24からの排水がその勢力の減衰を軽減されているから、排水を勢いよく流出空間部Ｂの入り口B1へ集中させることができるため、排水孔24からの排水効率も向上させることができる上に、排水勢力によって流水部21の底への汚れの溜りを軽減できる。
【００１２】
封水筒３の形態としては、上記した形態の他に図２乃至図11に示すものが挙げられ、以下、その形態を図面に基づいて順に説明する。
尚、図１と同様の構成については同符号を付すことでその説明を省略する。
図２（ａ），（ｂ）に示す封水筒３は、壁面部31を排水口４から封水筒３の下端までの全面を垂直面とし、横断面形状が壁面部32側のみが切欠された円形状にされている。
このようにしたことによれば、切欠した排水孔24側の壁面部32を除く壁面部が全て円弧状になるから、封水筒３の排水量が上記した図１に示すものよりも増えるという効果がある。
【００１３】
図３（ａ），（ｂ）に示す封水筒３は、図１に示した封水筒と同様に断面小判状に形成され、通水部６を下向き傾斜面321の下端から壁面部31の下端まで排水口４と平行状にして形成している。
上記のように、通水部６を排水口４と平行状にしたことによれば、図３（ｂ）において通水部６の通水面積が図１及び図２よりも大きくなるから、通水量が増えるという効果がある。
【００１４】
図４（ａ），（ｂ）に示す封水筒３は、図３に示した下向き傾斜面321の下端 322を、排水孔24側に凹む湾曲状にしたもので、このようにすることで通水部６の通水面積が図３のものよりも大きくなるから、通水量がより増えるという効果がある。
【００１５】
上記した図３及び図４に示した封水筒は、図面では壁面部31が図１に示すよう傾斜面と垂直面を組み合わせて形成されているが、この形状に限るものではなく図２のように全て垂直面に形成してもよいものである。
【００１６】
図５（ａ），（ｂ）に示す封水筒３は、トラップ本体２の３個の排水孔24…24と正対する壁面部に、排水口４から封水筒３の下端まで、その壁面部に沿って溝27を設けたものである。
上記溝27は、図５（ｂ）に示すように、３個の排水孔24…24と夫々正対する３本の溝27…27が設けてあり、その溝27…27はともに封水筒３内側に突出した断面略半円状に形成されている。
また、この封水筒３では上記した溝27が封水筒３の内側に突出しているので、壁面部31の形状を図２と同様に全て垂直面に形成して、封水筒３の排水量を確保している。
上記溝27を設けたことにより、排水孔24から流水部21に流れる排水が溝27内に入り込み、封水筒３の周方向への流量をより削減することができるから、排水を流出空間部Ｂの入り口B1へ集中させるという点において効果大である。
【００１７】
上記した図１乃至図５に示した封水筒３は、下向き傾斜面321の傾斜面が全て湾曲面として説明しているが、この湾曲面に限るものではなく、図６に示すように下向き傾斜面321を直線面にしてもよいし、また、図示はしないが湾曲面と直線面を組み合わせた形状でもよく、要するに下向き傾斜面321が流出空間部Ｂの入り口B1方向に傾斜していればよい。
また、壁面部31の形状が垂直面を基本としているが、この壁面部31を流出空間部Ｂを構成するトラップ本体の傾斜案内壁部25に向かう傾斜面としてもよい。（図示せず）
【００１８】
また、図７に示すように封水筒３を弾性を有する素材（ゴム材、軟質の樹脂材）で構成してもよく、この場合、図１に示した封水筒と同型に成型した封水筒３を排水口４の下側周囲に突設した嵌合筒51に嵌合し、両者を接着剤などを用いて接着する。
このようにすると、排水口４からの主排水及び排水孔24からの副排水の排水勢力によって封水筒３が変形してその勢力を吸収するので、椀曲面による排水の反力の減少に加えて更にその反力を減少させることが可能になり、排水効率をより上昇させることができるという点で非常に有効である。
【００１９】
図８に示す排水トラップ１は、排水孔24をウェア23よりも下側に配設した構造のものである。
このようにした場合、排水孔24が流水部21内に位置するので、排水管接続部22に接続された配管からの臭気は封水面Ｄで阻止される。したがって、上記した臭気防止壁８を形成することなく臭気の逆流を阻止できる。
さらに、排水孔24が上記した位置であれば、図９に示すように排水トラップ１を例えば洗い場付き浴槽Ｆにおける洗い場1Fの排水口に配設した場合、２点鎖線で示す従来の排水孔105の位置に比べて下側に位置するので、この位置に伴って浴槽2Fからの排水管９の位置を下げることが可能になる。
すなわち、浴槽2Fの底21Fを排水管９の高さに伴って下げた量に相対して浴槽壁22Fの高さを下げることで、浴槽2Fの深さを一定に保ちながら洗い場1Fから浴槽2Fへの跨ぎ高さを低くすることができる。（図中本願が実線、従来が２点鎖線である。）
このとき、上記浴槽2Fの排水口23Fの位置は少なくともウェア23（封水面Ｄ）よりも上側に位置にするのは言うまでもない。
また、図示はしないが浴槽2Fの深さを一定に保ちながら浴槽壁22Fの高さを低くするには、少なくとも浴槽用の排水孔24がウエア23（封水面Ｄ）よりも下側であればよい。
したがって、身体障害者や高齢者などの行動に難を有する使用者が浴槽2Fへ入るときに浴槽壁22Fが低いから跨ぎやすいし、しかも、浴槽2Fの深さは一定であるので、上記したバリアフリーに対応しながら使用性をも損ねることがない。
【００２０】
図10及び図11は、トラップ本体２に対して封水筒３を着脱可能にした構造の排水トラップ１を示している。
その構造を詳述すると、上記トラップ本体２は、容体Ｇの排水口1G縁の段部2Gに嵌合された排水金具3Gに螺合固定され、トラップ本体２の開口部2Aが前記排水口1Gから臨むようにしてある。
上記封水筒３は、上記排水口1Gから臨むトラップ本体２の開口部2Aから上記封水筒３をトラップ本体２内に挿入すると共に、封水筒３の上端縁に設けられた鍔部3Aを上記排水金具3Gの下端縁に設けられた鍔部31Gに引っ掛けて吊持することにより、流水部21に封水空間Ａを確保するようにしてある。
このように吊持された封水筒３を、該筒の上から段部2Gに目皿Ｈを嵌合することで、がたつきやを不意な外れが抑制されている。
また、目皿Ｈの周りには段部2Gに対して浮き上がらないように、滑り止めのゴムパッキン1Hが配設されている。
このようにした排水トラップ１は、先ず、目皿Ｈを外した後、トラップ本体２から封水筒３を引き抜くとトラップ本体２内が露出するので、そのトラップ本体２内の清掃が非常に容易、且つ、確実にできるし、取外した封水筒３の清掃も容易にできる。
【００２１】
図10及び図11における形態では、排水孔24がトラップ本体２の下端部に配設されており、このようにしたことにより、排水孔24からの排水のほとんどが封水筒３の影響を受けることなく直接流水部21に流入するので、その排水勢力をほとんど減少させることないから、流水部21における汚れの溜まりの減少及び副排水の排水効率のさらなる向上という点で大きな効果を有し、しかも、上記したようなバリアフリーという点に関してさらにその効果が向上する。
【００２２】
上記着脱可能な排水トラップ１に関しては、上記排水孔24を備えていない排水トラップ１でも可能なものであり、すなわち、上記した臭気防止壁８を必要としないものであれば着脱可能な構成にできる。（図示せず）
【００２３】
尚、図１乃至図11に示すトラップ本体２の形状は、流水部21を排水管接続部22と正対する壁面部26の上端部から流水部21の底を経てその底と流出空間部Ｂを構成するトラップ本体の傾斜案内壁部25における基部まで湾曲させてあるが、この形状に限るものではなく、図示はしないがトラップ本体の側壁と底壁をコーナー部で直角に交わらせ、そのコーナー部をＲにしてもよいものであり、このＲの径の大きさを大小変えてトラップ本体の大きさを決定する。
【００２４】
【実施例】
本願排水トラップと従来排水トラップの排水量を下記により測定した結果を示すと表１のようになる。
測定方法：容体に排水トラップを図12に示すようにセットし、トラップの締め付けリング（図示せず）面より50mmの高さまで水を満たした状態を給水しながら連続維持して排水量（ｌ／min）を測定する。
図中、Ｅ１は容体、Ｅ２は排水トラップ、Ｅ３は排水管、Ｅ４は排水受け容器、Ｅ５は水である。
測定条件：図13に示すように、流水空間部の入り口面積ａ、ウェア上部の面積ｂとし、その値は表２のとおりである。尚、面積の単位は夫々ｍｍ2 である。
【００２５】
【表１】
0003856574.tif 000002
【００２６】
【表２】
0003856574.tif 000003
【００２７】
以上の測定結果から、本発明の排水トラップは従来の排水トラップと比較してその排水量が最大値で約２３％強、平均値で約２０％強上昇していることが確認され、本願の排水トラップは極めて優れた排水効率を有しているということが証明された。
しかも、上記の測定結果は、本発明の排水トラップは従来の排水トラップよりも表２に示されるａ、ｂの面積が狭いにも関わらず上記したように排水量が大幅に上昇しているということは、排水の方向を流水空間部の入り口方向に向かわせたことが大きく影響しているとできる。
したがって、本願排水トラップの各部位の面積を従来排水トラップの各部位の面積に近づけた場合に現状以上の排水量が確保でき、逆に各部位の面積を表２に示す値よりも小面積にしたとしても少なくとも従来並みの排水量は確保でき、すなわち排水トラップを従来のものに比べて小型にしても同等以上の排水効率を期待できる。
【図面の簡単な説明】
【図１】（ａ）は本実施の形態の１例を示す縦断面図、（ｂ）は（ａ）の（ｂ）−（ｂ）線断面図である。
【図２】（ａ）は本実施の形態の１例を示す縦断面図、（ｂ）は（ａ）の（ｂ）−（ｂ）線断面図である。
【図３】（ａ）は本実施の形態の他の例を示す縦断面図、（ｂ）は（ａ）の（ｂ）−（ｂ）線断面図である。
【図４】（ａ）は本実施の形態の他の例を示す縦断面図、（ｂ）は（ａ）の（ｂ）−（ｂ）線断面図である。
【図５】（ａ）は本実施の形態の他の例を示す縦断面図、（ｂ）は（ａ）の（ｂ）−（ｂ）線断面図である。
【図６】本実施の形態の他の例を示す縦断面図である。
【図７】本実施の形態の他の例を示す縦断面図である。
【図８】本実施の形態の他の例を示す縦断面図である。
【図９】図８の排水トラップを洗い場付き浴槽に配設した状態の縦断面図で            ある。
【図１０】本実施の形態の他の例を示す縦断面図である。
【図１１】図１０における分解図である。
【図１２】実施例における表１に示す本願排水トラップ（ａ）と従来排水トラップ（ｂ）の排水量の比較例の測定方法を示す図である
【図１３】本願排水トラップ（ａ）と従来排水トラップ（ｂ）における各部位の面積を示す断面図である。
【図１４】ランニングトラップ（従来）の概略図である。
【図１５】従来の排水トラップの概略図である。
【符号の説明】
１：排水トラップ    ２：トラップ本体    ３：封水筒    ４：排水口
６：通水部    22：排水管接続部    23：ウェア    24：排水孔    25：傾斜壁31：壁面部    32：壁面部    Ａ：封水空間    Ｂ：流出空間部    B1：入り口
【図１】
0003856574.tif 000004
【図２】
0003856574.tif 000005
【図３】
0003856574.tif 000006
【図４】
0003856574.tif 000007
【図５】
0003856574.tif 000008
【図６】
0003856574.tif 000009
【図７】
0003856574.tif 000010
【図８】
0003856574.tif 000011
【図９】
0003856574.tif 000012
【図１０】
0003856574.tif 000013
【図１１】
0003856574.tif 000014
【図１２】
0003856574.tif 000015
【図１３】
0003856574.tif 000016
【図１４】
0003856574.tif 000017
【図１５】
0003856574.tif 000018